(57)【特許請求の範囲】
【請求項１】
オンオフ変調（ＯＯＫ：ｏｎ−ｏｆｆ−ｋｅｙｉｎｇ）信号のみを受信可能である、少なくとも１つの第１加入者宅側装置（ＯＮＵ：Ｏｐｔｉｃａｌ  Ｎｅｔｗｏｒｋ  Ｕｎｉｔ）と、
多値変調信号を受信可能である、少なくとも１つの第２ＯＮＵと、
光源からの光を位相及び２レベルの振幅で変調することで多値変調信号を送信する、１つの局舎側装置（ＯＬＴ:Ｏｐｔｉｃａｌ  Ｌｉｎｅ  Ｔｅｒｍｉｎａｌ）と、
前記第１ＯＮＵ、前記第２ＯＮＵ、及び前記ＯＬＴをパワースプリッタを介して接続する光伝送路と、
を備える光通信システムで前記ＯＬＴが送信する多値変調信号を生成する多値変調信号生成方法であって、
前記多値変調信号を受信信号として前記第１ＯＮＵの受光素子（ＰＤ：Ｐｈｏｔｏ  Ｄｉｏｄｅ）で直接検波し、前記多値変調信号の消光比を測定する測定ステップと、
前記測定ステップで測定した前記多値変調信号の消光比を６．１ｄＢより大きく、且つ１２．３ｄＢより小さくし、前記第１ＯＮＵと前記第２ＯＮＵにおける受信信号が同時に規定の信号品質を満たすように前記多値変調信号の生成パラメータを前記ＯＬＴに設定する設定ステップと、
を順に行う多値変調信号生成方法。
【請求項２】
前記設定ステップで、前記消光比を８．２ｄＢより大きく、且つ１２．３ｄＢより小さくすることを特徴とする請求項１に記載の多値変調信号生成方法。
【発明の詳細な説明】
【技術分野】
【０００１】
本発明は、世代の異なる加入者宅側装置を共存させるための多値変調信号生成方法及び世代の異なる加入者宅側装置が共存可能な光通信システムに関する。
【背景技術】
【０００２】
現在光アクセスシステムとして、図１のように、１つの局舎側装置（ＯＬＴ：Ｏｐｔｉｃａｌ  Ｌｉｎｅ  Ｔｅｒｍｉｎａｌ）１０１と複数の加入者宅側装置（ＯＮＵ：Ｏｐｔｉｃａｌ  Ｎｅｔｗｏｒｋ  Ｕｎｉｔ）２０１をパワースプリッタ１５０を介して接続する、Ｐａｓｓｉｖｅ  Ｏｐｔｉｃａｌ  Ｎｅｔｗｏｒｋ（ＰＯＮ）システム３０１が広く普及している。
【０００３】
このような形態の光アクセスシステムにおいて、一般にある世代のシステムから次の世代のシステムへの装置の交換を要する移行を行う際、すべてのＯＮＵを一斉に交換することは、各加入者の都合や希望するサービス等の条件により困難である。そのため、図２のＰＯＮシステム３０２ように、１つの次世代の新ＯＬＴに世代の異なるＯＮＵ（新ＯＮＵと旧ＯＮＵ）を接続してサービスを提供するための、何らかの手段が必要となる。この手段を共存方式と呼ぶ。新ＯＮＵへのサービスと旧ＯＮＵへのサービスを、波長多重分割方式（ＷＤＭ：Ｗａｖｅｌｅｎｇｔｈ  Ｄｉｖｉｓｉｏｎ  Ｍｕｌｔｉｐｌｅｘｉｎｇ）により波長を分けて行う技術などが、これまでに提案されている。
【０００４】
一方で、デジタル信号処理技術を用いた多値変調により、光ファイバ通信を広帯域化せずに高速化することが可能であり、そのような技術を光アクセスシステムに適用するための検討も行われている。本技術を新たにアクセスシステムの下り通信に導入するためには、多値変調信号を受信できず、ＯＯＫ信号のみを受信可能な旧ＯＮＵと、多値変調信号が受信可能な新ＯＮＵを同時に接続してサービスを提供するための共存方式が必要となる。前者のＯＮＵは受信器として直接検波器のみを備えており、後者は受信器としてコヒーレント検波器およびデジタル信号処理部を備えている。共存方式の一手段として、図３のように、振幅と位相で変調されるＳｔａｒ−ＱＡＭ型多値変調信号（特に振幅が２レベルで変調されているもの）を利用して旧ＯＮＵ２０１にはＯＯＫ信号を、新ＯＮＵ２０２には位相変調を含む多値変調信号を、同時に伝送する共存方式が提案されている（例えば、非特許文献１を参照。）。
【先行技術文献】
【非特許文献】
【０００５】
【非特許文献１】Ｎ．  Ｉｉｙａｍａ，  Ｓ−Ｙ．  Ｋｉｍ，  Ｔ．  Ｓｈｉｍａｄａ，  Ｓ．  Ｋｉｍｕｒａ  ａｎｄ  Ｎ．  Ｙｏｓｈｉｍｏｔｏ，  “Ｃｏ−ｅｘｉｓｔｅｎｔ  ｄｏｗｎｓｔｒｅａｍ  ｓｃｈｅｍｅ  ｂｅｔｗｅｅｎ  ＯＯＫ  ａｎｄ  ＱＡＭ  ｓｉｇｎａｌｓ  ｉｎ  ａｎ  ｏｐｔｉｃａｌ  ａｃｃｅｓｓ  ｎｅｔｗｏｒｋ  ｕｓｉｎｇ  ｓｏｆｔｗａｒｅ−ｄｅｆｉｎｅｄ  ｔｅｃｈｎｏｌｏｇｙ，”  ｉｎ  Ｐｒｏｃ．ＯＦＣ’１２，  ｐａｐｅｒ  ＪＴｈ２Ａ．５３，  ２０１２．
【発明の概要】
【発明が解決しようとする課題】
【０００６】
振幅が２レベルで変調されたＳｔａｒ−ＱＡＭ型信号の基本的な特性として、振幅の２レベルの比は自由に設定することができるが、その値により振幅変調の成分と位相変調の成分の信号品質は図４に示すように変化する。振幅比が小さくなると、旧ＯＮＵで受信する信号のアイパターンにおけるアイの開きが小さくなり、振幅変調成分の信号品質が劣化する。一方、新ＯＮＵで受信するコンスタレーションにおいては、２つの円の距離が近くなり、振幅変調成分の信号品質は同じく劣化しているが、位相変調成分の最小信号間距離が大きくなり、信号品質は向上する。振幅比が大きくなると、その逆となり、振幅変調成分の信号品質は向上し、位相変調成分の信号品質は劣化する。このように、振幅比に対して、振幅変調成分と位相変調成分の信号品質はトレードオフである。
なお、振幅変調成分の信号品質及び位相変調成分の信号品質とは、それぞれ受信したＳｔａｒ−ＱＡＭ型多値変調信号から検出した振幅変調成分の信号品質及び位相変調成分の信号品質を意味する。
【０００７】
振幅が２レベルで変調されたＳｔａｒ−ＱＡＭ型信号においては、振幅比に対して、振幅変調成分と位相変調成分の信号品質はトレードオフであるため、設定する振幅比によっては旧ＯＮＵと新ＯＮＵにおける受信信号が同時に規定の信号品質を満たすことができず、置き換えおよび共存が困難となる。そして、置き換えおよび共存を可能とするＳｔａｒ−ＱＡＭ信号の振幅比の値はこれまで示されていない。
【０００８】
そこで、本発明は、旧ＯＮＵと新ＯＮＵにおける受信信号が同時に規定の信号品質を満たすことが可能な多値変調信号生成方法、及び光通信システムを提供することを目的とする。
【課題を解決するための手段】
【０００９】
上記目的を達成するために、本発明は、ＯＬＴからの多値変調信号をＰＤで直接検波した際に、その多値変調信号の消光比が所定範囲に収まるように変調時の振幅比を調整することとした。
【００１０】
具体的には、本発明に係る多値変調信号生成方法は、
オンオフ変調（ＯＯＫ：ｏｎ−ｏｆｆ−ｋｅｙｉｎｇ）信号のみを受信可能である、少なくとも１つの第１加入者宅側装置（ＯＮＵ:Ｏｐｔｉｃａｌ  Ｎｅｔｗｏｒｋ  Ｕｎｉｔ）と、
多値変調信号を受信可能である、少なくとも１つの第２ＯＮＵと、
光源からの光を２レベルの振幅及び位相で変調することで多値変調信号を送信する、１つの局舎側装置（ＯＬＴ:Ｏｐｔｉｃａｌ  Ｌｉｎｅ  Ｔｅｒｍｉｎａｌ）と、
前記第１ＯＮＵ、前記第２ＯＮＵ、及び前記ＯＬＴをパワースプリッタを介して接続する光伝送路と、
を備える光通信システムで前記ＯＬＴが送信する多値変調信号を生成する多値変調信号生成方法であって、
前記多値変調信号を受光素子（ＰＤ：Ｐｈｏｔｏ  Ｄｉｏｄｅ）で直接検波し、前記多値変調信号の消光比を測定する測定ステップと、
前記多値変調信号の位相変調成分と振幅変調成分の双方が規定の信号品質を満たす消光比となるように前記多値変調信号の生成パラメータを前記ＯＬＴに設定する設定ステップと、
を順に行う。
【００１１】
また、本発明に係る光通信システムは、
ＯＯＫ信号のみを受信可能である、少なくとも１つの第１ＯＮＵと、
多値変調信号を受信可能である、少なくとも１つの第２ＯＮＵと、
光源からの光を２レベルの振幅及び位相で変調することで多値変調信号を送信する、１つのＯＬＴと、
前記第１ＯＮＵ、前記第２ＯＮＵ、及び前記ＯＬＴをパワースプリッタを介して接続する光伝送路と、
を備える光通信システムであって、
前記ＯＬＴは、前記多値変調信号の位相変調成分と振幅変調成分の双方が規定の信号品質を満たす消光比となるように前記多値変調信号の生成パラメータが設定されていることを特徴とする。
【００１２】
ＯＬＴは、光源からの光を変調して多値変調信号を送信する。そして、当該多値変調信号をＰＤ（旧ＯＮＵのＰＤでもよい）で直接検波した際の消光比が所定範囲に収まる多値変調信号の振幅比となるようにＯＬＴで多値変調信号の生成パラメータを調節する。なお、消光比の所定範囲は、通信の規格に応じた範囲となる。このように、消光比を確認してＯＬＴでの多値変調信号の生成パラメータを調整することで、旧ＯＮＵと新ＯＮＵにおける受信信号が同時に規定の信号品質を満たすことが可能となる。
【００１３】
従って、本発明は、旧ＯＮＵと新ＯＮＵにおける受信信号が同時に規定の信号品質を満たすことが可能な多値変調信号生成方法、及び光通信システムを提供することができる。
【００１４】
本発明に係る多値変調信号生成方法及び光通信システムは、前記設定ステップで、前記消光比が６．１ｄＢより大きく、且つ１２．３ｄＢより小さいことを特徴とする。
【００１５】
旧システムをＩＥＥＥ  ８０２．３ａｖ  １０Ｇ−ＥＰＯＮとして想定した場合、ＰＤで直接検波した際に、その消光比が６．１ｄＢ〜１２．３ｄＢの範囲となるように振幅比を調整した１０  Ｇｓｙｍｂｏｌ／ｓのＳｔａｒ  ８−ＱＡＭ信号を使用する。その結果、図５に示すように、旧ＯＮＵ、新ＯＮＵで受信するすべての信号が−２８ｄＢｍ以下の受信感度でＢＥＲ＜１０Ｅ−０３を達成し、ＩＥＥＥ  ８０２．３ａｖ  １０Ｇ−ＥＰＯＮの旧ＯＮＵと、コヒーレント受信器とＤＳＰを備えた新ＯＮＵとの同一ＯＬＴ配下での共存が可能となる。
【００１６】
本発明に係る多値変調信号生成方法及び光通信システムは、前記設定ステップで、前記消光比が８．２ｄＢより大きく、且つ１２．３ｄＢより小さいことを特徴とする。
【００１７】
旧システムをＩＴＵ−Ｔ  Ｇ．９８７シリーズ  ＸＧ−ＰＯＮとして想定した場合、ＰＤで直接検波した際に、その消光比が８．２ｄＢ〜１２．３ｄＢの範囲となるように振幅比を調整した１０  Ｇｓｙｍｂｏｌ／ｓのＳｔａｒ  ８−ＱＡＭ信号を使用する。その結果、図５に示すように、旧ＯＮＵ、新ＯＮＵで受信するすべての信号が−２８ｄＢｍ以下の受信感度でＢＥＲ＜１０Ｅ−０３を達成し、ＩＴＵ−Ｔ  Ｇ．９８７シリーズ  ＸＧ−ＰＯＮの旧ＯＮＵと、コヒーレント受信器とＤＳＰを備えた新ＯＮＵとの同一ＯＬＴ配下での共存が可能となる。  
【００１８】
本発明に係る光通信システムは、前記第１ＯＮＵ、前記第２ＯＮＵ、及び前記ＯＬＴは、波長多重機能を有してもよい。
【発明の効果】
【００１９】
本発明は、旧ＯＮＵと新ＯＮＵにおける受信信号が同時に規定の信号品質を満たすことが可能な多値変調信号生成方法、及び光通信システムを提供することができる。
【図面の簡単な説明】
【００２０】
【図１】ＰＯＮシステムを説明する図である。
【図２】ＰＯＮシステムを説明する図である。
【図３】ＯＯＫ信号と多値変調信号を同時に伝送する共存方式のＰＯＮシステムを説明する図である。
【図４】振幅のレベル比による振幅変調の成分と位相変調の成分の信号品質の変化を説明する図である。
【図５】ＯＬＴから多値変調信号を送信したときに旧ＯＮＵ及び心ＯＮＵで受信する信号の振幅変調成分と位相変調成分のビットエラーレート（ＢＥＲ）が１０Ｅ−０３よりも小さくなる最小の受光パワーを説明する図である。
【図６】多値変調信号の振幅比に対する新旧ＯＮＵの各信号成分の信号品質を説明する図である。
【図７】新ＯＬＴの構成を説明する図である。
【図８】旧ＯＮＵの構成を説明する図である。
【図９】新ＯＮＵの構成を説明する図である。
【発明を実施するための形態】
【００２１】
添付の図面を参照して本発明の実施形態を説明する。以下に説明する実施形態は本発明の実施例であり、本発明は、以下の実施形態に制限されるものではない。なお、本明細書及び図面において符号が同じ構成要素は、相互に同一のものを示すものとする。
【００２２】
（実施形態１）
図３に示すように、あるＯＯＫ信号のみを扱う旧システムから多値変調信号を扱う新システムへの移行の際に、同一ＰＯＮ配下にＯＯＫ信号のみ受信可能な旧ＯＮＵと位相変調信号、振幅変調信号を含む多値変調信号が受信可能な新ＯＮＵが混在しており、ＯＬＴがＳｔａｒ−ＱＡＭ信号を送信することでそれらの共存が実現している。一般にＳｔａｒ−ＱＡＭ信号においては、振幅変調成分と位相変調成分は図６に示すようにトレードオフの関係となる。図６において、横軸は信号の振幅比、縦軸はある規定の信号品質を満たす受光パワーとしている。旧システムの規格で定められている最小受光感度を２重線で示している。振幅比が大きくなると、振幅変調成分の信号品質は向上するため、より小さい受光パワーで規定の信号品質を満たすことができる。逆に位相変調成分の信号品質は劣化するため、ある規定の信号品質を満たすために、より大きな受光パワーが必要となる。また、新ＯＮＵはコヒーレント検波器を備えているため、直接検波で信号を受信する旧ＯＮＵと比較して、より小さい受光パワーで振幅変調成分が規定の信号品質を満たすことができる。
【００２３】
各ＯＮＵにおける信号成分の品質が図６で表されるようなシステムに対し、振幅比をａよりも小さい値に設定して信号を生成すると、旧ＯＮＵの受信信号が規定の品質を満たさないということになる。これは、図１の状態から図２の状態に切り替わったとき（送信信号がＳｔａｒ−ＱＡＭ型信号になったとき）に、旧ＯＮＵが図１の状態と同じ品質で信号を受信できないということになり、振幅比がａより小さい値のＳｔａｒ−ＱＡＭ型信号による旧ＯＮＵから新ＯＮＵへの置き換え、および同一ＰＯＮ配下での共存は不可能ということを表している。一方で振幅比がｂより大きい場合には、新ＯＮＵの位相変調成分の信号が規定の品質を満たしていない。これも、図１の状態から図２の状態に切り替わったときに、新ＯＮＵの位相変調成分が規定の品質で信号を受信できていないということになり、振幅比がｂより大きいＳｔａｒ−ＱＡＭ型信号による旧ＯＮＵから新ＯＮＵへの置き換え、および同一ＰＯＮ配下での共存は不可能ということを表している。つまり、振幅比がａからｂの間にある場合には、全信号が規定の品質を満たすため、振幅比がａからｂの間にあるＳｔａｒ−ＱＡＭ型信号による旧ＯＮＵから新ＯＮＵへの置き換え、および同一ＰＯＮ配下での共存は可能ということとなる。
【００２４】
本実施形態の光通信システムは、
ＯＯＫ信号のみを受信可能である、少なくとも１つの第１ＯＮＵと、
多値変調信号を受信可能である、少なくとも１つの第２ＯＮＵと、
光源からの光を２レベルの振幅及び位相で変調することで多値変調信号を送信する、１つのＯＬＴと、
前記第１ＯＮＵ、前記第２ＯＮＵ、及び前記ＯＬＴをパワースプリッタを介して接続する光伝送路と、
を備える光通信システムであって、
前記ＯＬＴは、前記多値変調信号の位相変調成分と振幅変調成分の双方が規定の信号品質を満たす消光比となるように前記多値変調信号の生成パラメータが設定されていることを特徴とする。
【００２５】
多値変調信号の２レベル振幅の振幅比は、次のように決定する。
前記多値変調信号を受光素子（ＰＤ：Ｐｈｏｔｏ  Ｄｉｏｄｅ）で直接検波し、前記多値変調信号の消光比を測定する測定ステップと、
前記多値変調信号の位相変調成分と振幅変調成分の双方が規定の信号品質を満たす消光比となるように前記多値変調信号の生成パラメータを前記ＯＬＴに設定する設定ステップと、
を順に行う。
【００２６】
本実施形態の光通信システムは、前記消光比が６．１ｄＢより大きく、且つ１２．３ｄＢより小さいことを特徴とする。
【００２７】
本実施形態では、旧システムをＩＥＥＥ  ８０２．３ａｖ  １０Ｇ−ＥＰＯＮと想定し、そのＯＮＵを旧ＯＮＵとする。旧ＯＮＵと新ＯＮＵとの共存を可能とするＳｔａｒ  ８−ＱＡＭ信号の振幅比を数値計算により特定する。ＯＬＴ１０２の送信器部分、旧ＯＮＵ２０１の受信器部分、新ＯＮＵ２０２の受信器部分は、それぞれ図７−９のように構成される。ただし、本発明に直接関係のある部分のみを示している。
【００２８】
ＯＬＴ１０２は、ＤＳＰ（デジタル信号処理部）１１によりＩ成分とＱ成分の４ＡＳＫ信号を生成し、Ｄ／Ａ変換器１２を通してＩＱ変調器１３に入力することで、光源１４の出力光からＳｔａｒ  ８−ＱＡＭ信号を生成する。送信信号のパワーは＋２．５ｄＢｍとなるよう調整した。ＤＳＰ１１で４ＡＳＫ信号を生成する際に、４値の振幅の間隔を調整することにより、振幅比を変化させることができる。本明細書では、４ＡＳＫ信号の４値の振幅の間隔を調整するためにＤＳＰ１１に設定するパラメータを「多値変調信号の生成パラメータ」と呼ぶ。
【００２９】
旧ＯＮＵ２０１はＰＤ２１を備える。旧ＯＮＵ２０１は、ＯＬＴ１０２が送信したＳｔａｒ  ８−ＱＡＭ信号をＰＤ２１で受光し、直接検波を行う。旧ＯＮＵ２０１は、ＯＯＫ信号のみ受信可能である。このため、旧ＯＮＵ２０１は、Ｓｔａｒ  ８−ＱＡＭ信号の振幅変調成分のみをＯＯＫ信号として受信することになる。
【００３０】
新ＯＮＵ２０２は光源、光源２６、９０°ハイブリッド２７、バランスＰＤ２８からなるコヒーレント検波器２５により信号を受信し、Ａ／Ｄ変換器２９を通してＤＳＰ３０により信号の復元、復調等を行う。
【００３１】
ＯＬＴ１０２の光源１４と新ＯＮＵ２０２の光源２６の線幅と出力パワーはそれぞれ１００ｋＨｚ、１０．０ｄＢｍとした。上記の系において、ＯＬＴ１０２からシンボルレートが１０Ｇｓｙｍｂｏｌ／ｓのＳｔａｒ  ８−ＱＡＭ信号を送信したときの、旧ＯＮＵ２０１、新ＯＮＵ２０２で受信した信号の振幅変調成分と位相変調成分のビットエラーレート（ＢＥＲ）が１０Ｅ−０３よりも小さくなる最小の受光パワーを図５に示す。
【００３２】
図５において、横軸は信号をＰＤ２１で直接検波したときのアイパターンの消光比、縦軸はＢＥＲが１０Ｅ−０３よりも小さくなる最小の受光パワーである。図５のマークはそれぞれ次を意味する。
（凡例）
0006053163.tif 000002
また、１０Ｇ−ＥＰＯＮ  ＯＮＵ（ｃｌａｓｓ  ＰＲ３０）の最小受光感度である−２８ｄＢｍを点線で示している。
【００３３】
図５より、すべての信号がＢＥＲ＜１０Ｅ−０３を満たす受光パワーが−２８ｄＢｍ以下である範囲は６．１ｄＢ〜１２．３ｄＢであるので、ＰＤ２１で直接検波したときの消光比の範囲がこの範囲に収まるＳｔａｒ  ８−ＱＡＭ信号を送信するようにＯＬＴ１０２が設定する。具体的には、当該Ｓｔａｒ  ８−ＱＡＭ信号を生成できる生成パラメータをＤＳＰ１１に設定する。これにより、１０Ｇ−ＥＰＯＮ  ＯＮＵから、コヒーレント検波器とＤＳＰを備えるＯＮＵへの置き換え、およびそれらの同一ＰＯＮ配下での共存が可能となる。また、１０Ｇ−ＥＰＯＮ  ＯＬＴの送信器の消光比は６．０ｄＢ以上であるので、６．１ｄＢ〜１２．３ｄＢという範囲はその基準も満たしている。
【００３４】
（実施形態２）
本実施形態の光通信システムは、前記消光比が８．２ｄＢより大きく、且つ１２．３ｄＢより小さいことを特徴とする。
【００３５】
本実施形態は、旧システムをＩＴＵ−Ｔ  Ｇ．９８７シリーズ  ＸＧ−ＰＯＮと想定する。ＸＧ−ＰＯＮのＯＮＵ（ｃｌａｓｓ  Ｎ１）の最小受光感度は−２７ｄＢｍである。このため、ＰＤ２１で直接検波したときの消光比の範囲が６．１ｄＢ〜１２．３ｄＢに収まるように、ＯＬＴ１０２においてＳｔａｒ  ８−ＱＡＭ信号の振幅比を調整する（ＤＳＰ１１に生成パラメータを設定する）ことで、ＸＧ−ＰＯＮ  ＯＮＵから、コヒーレント検波器とＤＳＰを備えるＯＮＵでの置き換え、およびそれらの同一ＰＯＮ配下での共存が可能となる。ただし、ＸＧ−ＰＯＮにおいては、消光比の規格が８．２ｄＢ以上であるので、その規定に従う場合には、ＰＤで直接検波したときの消光比の範囲が８．２ｄＢ〜１２．３ｄＢに収まるように、ＯＬＴ１０２においてＳｔａｒ  ８−ＱＡＭ信号の振幅比を調整する。
【００３６】
（実施形態３）
実施形態１，２では、旧システムがＴＤＭ−ＰＯＮの形態であるが、これらを波長多重したＷＤＭ／ＴＤＭ−ＰＯＮの中の同一波長内の旧ＯＮＵと新ＯＮＵの共存においても、本発明を適用することができる。
【００３７】
（他の実施形態）
上記実施形態では、旧ＯＮＵ２０１でＳｔａｒ  ８−ＱＡＭ信号を直接検波して振幅比を調整する手法を説明したが、条件調整用の専用測定器を光伝送路の加入者側に接続してＳｔａｒ  ８−ＱＡＭ信号を直接検波して振幅比を調整する手法でもよい。また、条件調整用の専用測定器をＯＬＴ１０２の出力ポートに直接接続し、出力されるＳｔａｒ  ８−ＱＡＭ信号を直接検波して振幅比を調整する手法でもよい。
【００３８】
（付記）
以下は、本発明を説明したものである。
本発明は、光アクセスシステムにおいて、既に敷設されているあるシステムからその次の世代のシステムへの移行を円滑かつ経済的に行うための技術に関して、その技術が適用可能なパラメータの範囲の指定に関する。
＜課題＞
デジタル信号処理による多値変調技術をＰＯＮの構成をとる光アクセスシステムに導入するにあたり、Ｓｔａｒ−ＱＡＭ型信号を用いて現存のＯＯＫ信号のみを扱うＯＮＵとの共存を図る方式においては、Ｓｔａｒ−ＱＡＭ型信号の振幅比の値によっては、新旧どちらかのＯＮＵの受信信号が規定の品質を満たさず、置き換えおよび共存が不可能となる。しかし、新旧両ＯＮＵが規定の信号品質で信号を受信できるＳｔａｒ−ＱＡＭ型信号の振幅比の範囲は、これまで明確に示されていない。
【００３９】
＜解決手段＞
シンボルレートが１０Ｇｓｙｍｂｏｌ／ｓ、送信パワーが＋２．５ｄＢｍという条件下でＳｔａｒ  ８−ＱＡＭ信号を送信した際に、振幅比に対する新旧ＯＮＵの各信号成分の信号品質として、図６の結果を得た。この結果より、ＰＤで直接検波した際に、その消光比が６．１ｄＢ〜１２．３ｄＢの範囲となるようなＳｔａｒ  ８−ＱＡＭ信号を使用することで、旧ＯＮＵ、新ＯＮＵで受信するすべての信号が−２８ｄＢｍ以下の受信感度でＢＥＲ＜１０Ｅ−０３を達成し、ＩＥＥＥ  ８０２．３ａｖ  １０Ｇ−ＥＰＯＮあるいはＩＴＵ−Ｔ  Ｇ．９８７シリーズ  ＸＧ−ＰＯＮのＯＮＵと、コヒーレント受信器とＤＳＰを備え、振幅変調成分と位相変調成分が受信可能であるＯＮＵとの置き換えおよび同一ＯＬＴ配下での共存が可能となる。
【００４０】
本発明の主な構成は次の通りである。
（１）：ＰＤで直接検波をしたときに、消光比が１２．３ｄＢより小さくなるようなＳｔａｒ  ８−ＱＡＭを生成する送信器。
（２）：上記（１）と同様の構成で、更に消光比が６．１ｄＢよりも大きくなるようなＳｔａｒ  ８−ＱＡＭを生成する送信器。
（３）：上記（１）と同様の構成で、更に消光比が８．２ｄＢよりも大きくなるようなＳｔａｒ  ８−ＱＡＭを生成する送信器。
（４）：上記（１）から（３）のいずれかの送信器を備えるＯＬＴと、直接検波器のみを備えるＩＥＥＥ  ８０２．３ａｖ  １０Ｇ−ＥＰＯＮに準拠のＯＮＵと、コヒーレント検波器とＤＳＰを備え、振幅変調信号と位相変調信号を受信可能なＯＮＵからなるＰＯＮシステム。
（５）：上記（１）から（３）のいずれかの送信器を備えるＯＬＴと、直接検波器のみを備えるＩＴＵ−Ｔ  Ｇ．  ９８７シリーズ  ＸＧ−ＰＯＮに準拠のＯＮＵと、コヒーレント検波器とＤＳＰを備え、振幅変調信号と位相変調信号を受信可能なＯＮＵからなるＰＯＮシステム。
（６）：上記（４）もしくは（５）の構成において、波長多重機能を兼ね備えたＰＯＮシステム。
【符号の説明】
【００４１】
１１：ＤＰＳ
１２：Ｄ／Ａ変換器
１３：ＩＱ変調器
１４：光源
２１：ＰＤ
２５：コヒーレント検波器
２６：光源
２７：９０°ハイブリッド
２８：バランスＰＤ
２９：Ａ／Ｄ変換器
３０：ＤＳＰ
１０１、１０２：ＯＬＴ
１５０：パワースプリッタ
２０１、２０２：ＯＮＵ
３０１、３０２：ＰＯＮシステム
【図１】
0006053163.tif 000003
【図２】
0006053163.tif 000004
【図３】
0006053163.tif 000005
【図４】
0006053163.tif 000006
【図５】
0006053163.tif 000007
【図６】
0006053163.tif 000008
【図７】
0006053163.tif 000009
【図８】
0006053163.tif 000010
【図９】
0006053163.tif 000011